(57)【特許請求の範囲】
【請求項１】
正面パネルおよび背面パネルを備え，
上記正面パネルの周縁と上記背面パネルの周縁とが閉じられており，かつ上記正面パネルと上記背面パネルとの間に内容物が収納される内部空間がつくられており，
少なくとも上記正面パネルが弾性を有するシートによって構成され，上記正面パネルに，上記背面パネルに向けて押し下げ可能な蓋部を規定する切込みまたは切抜きが形成されており，
上記切込みまたは切抜きが，押し下げられた上記蓋部の先端が上記背面パネルの内面に到達することになる深さを有しており，上記蓋部が，押し下げられたときに，上記切込みまたは切抜きを通じて内部空間に出し入れされる内容物が乗る傾斜面を形成する，
包装体。
【請求項２】
上記蓋部の先端が先細に形成されている，
請求項１に記載の包装体。
【請求項３】
上記正面パネルに窓部があけられている，
請求項１または２に記載の包装体。
【請求項４】
上記背面パネルに指通し孔があけられている，
請求項１から３のいずれか一項に記載の包装体。
【請求項５】
上記蓋部の先端部分に，押し下げられた蓋部の先端部分を上記背面パネルの内面に沿って折る折り線が形成されている，
請求項１から４のいずれか一項に記載の包装体。
【請求項６】
上記正面パネルの少なくとも一部の周縁と背面パネルの少なくとも一部の周縁との間に壁部が設けられている，
請求項１から５のいずれか一項に記載の包装体。
【請求項７】
弾性を有する１枚のシートによってつくられる包装体であって，
上記シートに，方形の正面パネルと，上記正面パネルの一端部に第１の折り線を介してつながる方形の背面パネルと，上記正面パネルの上記背面パネルがつながっていない端部に第２，第３，第４の折り線を介してそれぞれつながる３つの接着パネルが形成されており，
上記第１の折り線に沿って正面パネルまたは背面パネルが折り返されることで，正面パネルの裏面がわに背面パネルが重ねられ，さらに第２，第３，第４の折り線に沿って折り返されることで，正面パネルに重ねられている背面パネルの外側または内側に，上記３つの接着パネルが接着されており，
上記正面パネルに，上記背面パネルに向けて押し下げ可能な蓋部を規定する切込みまたは切抜きが形成されており，
上記切込みまたは切抜きが，上記蓋部の先端が上記背面パネルの内面に到達する深さを有しており，上記蓋部が，押し下げられたときに，上記切込みまたは切抜きを通じて内部空間に出し入れされる内容物が乗る傾斜面を形成する，
包装体。
【請求項８】
上記正面パネルおよび背面パネルが長方形であり，上記切込みまたは切抜きが，長方形の上記正面パネルの長手方向の上端付近に形成されており，上記正面パネルに形成されている切込みまたは切抜きの下端から上記包装体の内部空間の下端までの長さが，上記包袋体に収納される長方形の内容物の長手方向の長さよりも長い，
請求項７に記載の包装体。
【発明の詳細な説明】
【技術分野】
【０００１】
この発明は包装体，より詳細には，収納した内容物を不用意に取り出しにくくする，トラップ構造を有する包装体に関する。
【背景技術】
【０００２】
子供による薬剤の誤飲を防止等するために，薬剤を収容したＰＴＰ（Press Through Package ）をパッケージングして，ＰＴＰ内の薬剤を不用意に取り出しにくくすることが提案されている。
【０００３】
特許文献１に記載のＰＴＰシートの包装体は，薬剤を取り出すための取り出し孔を開閉するための規制片を備えるもので，規制片をスライドすることによって取り出し孔が開閉される。ＰＴＰシートを包装する２つのシート（一片および他片）に加えて規制片を必要とするので，包装体をつくるために必要とされるシートは大きい。また規制片の面積が比較的広く，面積の広い規制片の全体をスライドするには指の力が必要とされる。
【０００４】
特許文献２，３および４の記載のパッケージも，ブリスターないしカードをパッケージングして薬剤を取出しにくくするものである。これらの文献に記載のパッケージはいずれも箱型の外側スリーブを用いている。構造が比較的複雑で，その製造には専用ラインが必要になると考えられる。
【先行技術文献】
【特許文献】
【０００５】
【特許文献１】特許第４２９９０３５号公報
【特許文献２】特表２０１３−５３６１３１号公報
【特許文献３】特表２００７−５１１４３５号公報
【特許文献４】特表２０１１−５１９７８７号公報
【発明の開示】
【０００６】
この発明は，収納された内容物が不用意に取出されないようにすることを簡易に実現することを目的とする。
【０００７】
第１の発明による包装体は，正面パネルおよび背面パネルを備え，上記正面パネルの周縁と上記背面パネルの周縁とが閉じられており，かつ上記正面パネルと上記背面パネルとの間に内容物が収納される内部空間がつくられており，少なくとも上記正面パネルが弾性を有するシートによって構成され，上記正面パネルに，上記背面パネルに向けて押し下げ可能な蓋部を規定する切込みまたは切抜きが形成されており，上記切込みまたは切抜きが，押し下げられた上記蓋部の先端が上記背面パネルの内面に到達することになる深さ（大きさ）を有していることを特徴とする。
【０００８】
正面パネルに，背面パネルに向けて押し下げ可能な蓋部を規定する切込みまたは切抜きが形成されている。上記切込みまたは切抜きは，たとえば正面パネルをその正面から見たときに全体として凹形状に見える形で入れられる。正面パネルに形成された切込みまたは切抜きによって規定される蓋部を背面パネルに向けて押し下げると，正面パネルに口があき，そこから内容物を包装体内に入れることができる。
【０００９】
上記正面パネルは弾性を有するシートによって構成されている。このため，包装体内に内容物を収納した後に蓋部の押し下げをやめると，上記蓋部は元の位置に戻る。内容物を入れるときに正面パネルにあいていた口は閉じられ，内容物は包装体内に閉じこめられる（トラップされる）ことになる。包装体を逆さにしたり，傾けたり，振ったりしても，それだけでは包装体から内容物を取り出すことはできない。一実施態様では，上記正面パネルに窓部があけられている。この窓部を通して内容物をスライド移動させても，それだけでは内容物を取り出すことができない。
【００１０】
内容物を取り出す場合，上記蓋部が背面パネルに向けて押し下げられる。正面パネルの切込みまたは切抜きは，押し下げられた上記蓋部の先端が上記背面パネルの内面に到達することになる深さ（大きさ）を有しているので，蓋部を押し下げた状態で包装体を傾けるまたは上記窓部を通して内容物をスライド移動すると，内容物を蓋部の上に乗り上げさせることができ，正面パネルにあいた口を通して内容物を取り出すことができる。
【００１１】
このように，第１の発明の包装体を用いると，包装体を単に傾ける，または単にスライド移動させるだけでは，包装体から内容物を取出すことはできない。内容物を取り出すためには，上述のように，蓋部を背面がわに向けて押し下げる必要がある。すなわち，蓋部を押し下げるという，単純ではあるが必要不可欠な操作が，内容物を取り出すために必要である。
【００１２】
たとえば，内容物が錠剤を収容したＰＴＰであれば，幼い子供が誤って錠剤を飲むことを防止することができる。他方，ＰＴＰを取出すときの操作はさほど複雑ではないから，高齢者であってもＰＴＰを包装体から取り出すことができる。
【００１３】
好ましくは，上記蓋部の先端が先細に形成されている。内容物を取り出すときに，蓋部上に内容物を乗り上がりやすくすることができる。
【００１４】
一実施態様では，上記背面パネルに指通し孔があけられている。指通し孔を通して内容物を背面がわから正面がわに押し上げることで，押し下げられた蓋部の上に内容物を乗り上げやすくすることができ，内容物の取出しが補助される。背面パネルに開口を形成しておきこれを指通し孔として用いてもよいし，背面パネルに切込みを形成しておき，この切込みに沿う背面パネルの一部の面部を押し上げるものであってもよい。切込みに沿って背面パネルの面部を押し上げたときに背面パネルは開口することになり，この態様も「指通し孔」には含まれる。
【００１５】
上記蓋部の先端部分に，押し下げられた蓋部の先端部分を上記背面パネルの内面に沿って折る折り線を形成してもよい。背面パネルの内面との間に隙間なく蓋部を沿わせることができるので，蓋部上に内容物を乗り上げやすくすることができる。
【００１６】
上記正面パネルの少なくとも一部の周縁と背面パネルの少なくとも一部の周縁との間に壁部（または襠（マチ））を設けてもよい。この場合には，壁部（襠）を介して正面パネルの周縁と上記背面パネルの周縁とが閉じられる。嵩高の内容物を収納することができる。
【００１７】
第２の発明による包装体は，弾性を有する１枚のシートによってつくられるものであって，上記シートに，方形の正面パネルと，上記正面パネルの一端部に第１の折り線を介してつながる方形の背面パネルと，上記正面パネルの上記背面パネルがつながっていない端部に第２，第３，第４の折り線を介してそれぞれつながる３つの接着パネルが形成されており，上記第１の折り線に沿って正面パネルまたは背面パネルが折り返されることで，正面パネルの裏面がわに背面パネルが重ねられており，さらに第２，第３，第４の折り線に沿って折り返されることで，正面パネルに重ねられている背面パネルの外側または内側に，上記３つの接着パネルが接着されており，上記正面パネルに，上記背面パネルに向けて押し下げ可能な蓋部を規定する切込みまたは切抜きが形成されており，上記切込みまたは切抜きが，上記蓋部の先端が上記背面パネルの内面に到達する深さを有している。
【００１８】
正面パネルに連設されている３つの接着パネルは背面パネルの外側，または正面パネルと背面パネルの間に挟まれて背面パネルの内側に接着される。接着パネルの弾性力（元の平面状の形態に戻る力）によって，正面パネルと背面パネルとの間に内部空間（自然に形付けられる空間）を設けることができる。内部空間に収納された収納物を取り出すときには，上述のように，蓋部を背面がわに向けて押し下げる必要があるのは，上述の第１の発明と同じである。
【００１９】
好ましくは，上記正面パネルに形成されている切込みまたは切抜きの下端から上記包装体の内部空間の下端までの長さが，上記包袋体に収納される内容物の長さよりも長い。押し下げられた蓋部に内容物を乗り上げやすくすることができる。
【図面の簡単な説明】
【００２０】
【図１】第１実施例の包装体の展開図である。
【図２】第１実施例の包装体の正面図である。
【図３】第１実施例の包装体の背面図である。
【図４】図２のIV−IV線に沿う断面図である。
【図５】図２のＶ−Ｖ線に沿う断面図である。
【図６】包装体にＰＴＰを収納する様子を示す。
【図７】ＰＴＰが収納された包装体の正面図である。
【図８】図７のVIII−VIII線に沿う断面図である。
【図９】収納されたＰＴＰを包装体から取り出す様子を示す。
【図１０】変形例の包装体の正面図である。
【図１１】他の変形例の包装体の正面図である。
【図１２】他の変形例の包装体の展開図である。
【図１３】さらに他の変形例の包装体の展開図である。
【図１４】第２実施例の包装体の展開図である。
【図１５】第２実施例の包装体の斜視図である。
【図１６】変形例の包装体の斜視図である。
【図１７】他の変形例の包装体の斜視図である。
【図１８】さらに他の変形例の包装体の斜視図である。
【発明を実施するための形態】
【００２１】
以下，図面を参照してこの発明に係る包装体を詳細に説明する。
【実施例１】
【００２２】
図１から図５は第１実施例による包装体を示すものである。図１は包装体を作製するためのシートの展開図（ブランク図），図２は組立後の包装体の正面図，図３は組立後の包装体の背面図，図４は図２のIV−IV線に沿う断面図，図５は図２のＶ−Ｖ線に沿う断面図である。
【００２３】
包装体１は，対をなす正面パネル10と背面パネル20を備えている。正面パネル10の外形と背面パネル20の外形は同じ長方形であり，これらを重ね合わせることで包装体１はつくられる。図１は包装体１を作製したときに包装体１の外側となる面を示している。以下，分かりやすくするために，図２に示す包装体１を基準にして，上端（上方），下端（下方），側端（側方）を定義する。
【００２４】
包装体１は，柔軟性，ヒンジ特性および弾性を備えるプラスチック製シートからつくることができる。たとえば 0.5mm程度の厚さを持つポリプロピレン製シートが用いられる。板紙（ボール紙），ミルクカートン用紙，画用紙，ケント紙，段ボール等を用いることもでき，いわゆる合成紙（積層紙），複合紙，紙に各種プラスチックフィルムを積層（たとえば表面にラミネート）したものでもよい。350ｇ／ｍ2の坪量程度の厚紙であれば，柔軟性，ヒンジ特性および弾性を発揮する。
【００２５】
長方形の正面パネル10の一側端（長辺）に，背面パネル20が折り線Ｌ１を介して連設されている。正面パネル10の上端，下端および他側端には，接着パネル12，13，14が折り線Ｌ２，Ｌ３，Ｌ４を介してそれぞれ連設されている。折り線Ｌ１に沿って正面パネル10ないし背面パネル20を折り返すことで，正面パネル10の裏面がわに背面パネル20が位置するようにして正面パネル10と背面パネル20とを重ね，次に折り線Ｌ２，Ｌ３，Ｌ４に沿って接着パネル12，13，14を折り返して背面パネル20の外面に接着する。図３において接着範囲Ｎをドット模様で示す。折り易くするために，折り線Ｌ１，Ｌ２，Ｌ３，Ｌ４に沿ってリード罫，押罫，ミシン目などを形成してもよい。
【００２６】
正面パネル10と背面パネル20の連設はそれらの側端でなくてもよい。正面パネル10の上端または下端に背面パネル20を連設することもできる。また，正面パネル10と背面パネル20をそれぞれ別体の２枚のシートから構成し，２枚のシートから包装体１をつくることも可能である。２枚の別体のシートから包装体１をつくる場合には，正面パネル10の上端，下端，左右の両側端に，接着パネルが連設される。いずれにしても，正面パネル10の周縁と背面パネル20の周縁は閉じられる。
【００２７】
正面パネル10のほぼ中央に，正面パネル10の長手方向と同一方向に長手方向を持つ窓部（開口）11があけられている。窓部11は四隅が滑らかに丸められたほぼ長方形の形状を持つ。
【００２８】
窓部11の上方の正面パネル10に切込み15が入れられている。切込み15は，幅方向（左右の側端を結ぶ方向）に比較的長くのびる部分と，その両端から滑らかな角をもって上方にのびる部分を有しており，正面から見て凹状である。上方にのびる部分の先端にはさらに，滑らかに互いに離れる方向に向きを変えてさらに下向きに短くのびる一対の差込み用切込み15ａがつながっている。凹状切込み15によっておおよそ区画される（凹状切込み15でおおよそ囲まれる）正面パネル10の一部の面部を，以下「蓋部16」と呼ぶ。蓋部16（凹状切込み15）と窓部11とは連続してもよい。この場合には凹状切込み15の幅方向にのびる部分が窓部11の上縁を規定する。
【００２９】
背面パネル20に円形の指通し孔21があけられている。指通し孔21は，正面パネル10と背面パネル20を重ねたときに，正面パネル10にあけられている窓部11と上記蓋部16との間に重なる位置に形成されている。後述するように，指通し孔21は，そこに指を入れて内容物を背面がわから正面がわに向けて押し上げるために用いられる。
【００３０】
上述したように，包装体１は柔軟性，ヒンジ特性および弾性を有するシートによってつくられる。このため，正面パネル10の上端，下端および側端に連続している接着パネル12，13，14を背面パネル20の外側に接着すると，これらの接着パネル12，13，14の弾性力（元の平面状の形態に戻る力）によって，正面パネル10と背面パネル20との間には内部空間Ｋがつくられる（図４，図５参照）。
【００３１】
図６は包装体１にＰＴＰ50を収納する様子を示している。図７はＰＴＰ50の収納を終えた包装体１を示している。図８は図７のVIII-VIII線に沿う断面図である。
【００３２】
ＰＴＰ（Press Through Package ）50は，表面がわに複数の薬剤収容部51が突出して形成されたプラスチック製の薄い基板の裏面に，アルミニウム箔などの破りやすい封止シートを接着したもので，薬剤収容部51のそれぞれに錠剤52が収容（封入）されている。薬剤収容部51は透明でも非透明でもよい。薬剤収容部51が透明であると，薬剤収容部51に収容されている錠剤52を，薬剤収容部51を通して視覚的に確認することができる。突出している薬剤収容部51を押すと，基板の裏面がわで封止シートが破れ，そこから内部の錠剤52を取り出すことができる。
【００３３】
ＰＴＰ50には複数の薬剤収容部51が整列して形成されている。この実施例のＰＴＰ50は，その全体的な形状がほぼ長方形で，縦方向に５つ，横方向に２つ，全部で10個の薬剤収容部51が，互いに間隔をあけて整列して並べられたタイプのものである。ＰＴＰ50の外側周囲部にはフランジ部56（薬剤収容部51が設けられていない板状部分）が設けられている。一般に，一つのＰＴＰ50には同一種類の錠剤52が各薬剤収容部51に収容される。ＰＴＰ50に設けられる薬剤収容部51の数および配列，ならびにＰＴＰ50の寸法は，錠剤52の種類によって様々である。同じ種類（同一製品）の錠剤52についてのＰＴＰ50であれば，薬剤収容部51の数および配列，ならびにＰＴＰ50の寸法は基本的に同じである。この実施例の包装体１は，ＰＴＰ50の種類ごと，すなわち錠剤52の種類ごとに，その寸法（包装体１の全体の寸法，上述した窓部11の寸法，一対の差込み用切込み15ａの間隔など）が適宜調整される。
【００３４】
図６を参照して，ＰＴＰ50を包装体１に収納するときは，ＰＴＰ50の下端両側部が，正面パネル10に形成された一対の差込み用切込み15ａにそれぞれ差し込まれる。ＰＴＰ50を包装体１に向けてスライドさせると，ＰＴＰ50によって蓋部16が押し下げられて斜めに傾斜する。正面パネル10に口があき，ＰＴＰ50は蓋部16上を滑るようにしてＰＴＰホルダー１に収納されていく。図７を参照して，好ましくは，蓋部16の幅（凹状切込み15の幅）Ｗ１を，ＰＴＰ50において横方向に並んで形成されている２つの薬剤収容部51の全幅（左側の薬剤収容部51の左端と右側の薬剤収容部51の右端の間の長さ）とほぼ等しくする，または少しだけ広くするとよい。蓋部16の両側で薬剤収容部51がガイドされるので，ＰＴＰ50を包装体１に円滑に収納することができる。また一対の差込み用切込み15ａの間の幅Ｗ２は，ＰＴＰ50の幅とほぼ等しくする，または少しだけ広くするとよい。
【００３５】
さらに，正面パネル10に形成される窓部11の幅Ｗ３は，ＰＴＰ50において横方向に並んで形成されている２つの薬剤収容部51間の間隔よりも広く，かつ２つの薬剤収容部51の全幅（左側の薬剤収容部51の左端と右側の薬剤収容部51の右端の間の長さ）よりも狭くするとよい。薬剤収容部51によって正面パネル10と背面パネル20とが押され，包装体１内に空間Ｋを確実に確保することができる。
【００３６】
包装体１は，ＰＴＰ50が包装体１に収納されたときに，ＰＴＰ50の上端が蓋部16（切込み15）よりも下側に位置することになる長さを持つ。すなわち，蓋部16の下端（切込み15）から包袋体１の内部空間Ｋの下端までの長さＴ１は，ＰＴＰ50の長さよりも長い。
【００３７】
また，蓋部16を規定する凹状切込み15の深さ（蓋部16の高さ）Ｄ１は，正面パネル10と背面パネル20との間に設けられる内部空間Ｋの高さを超えるものであり，後述するように蓋部16を押し下げると，蓋部16の先端は確実に背面パネル20の内面に到達する。
【００３８】
上述したように包装体１は弾性を持つシートからつくられているから，ＰＴＰ50が包装体１内に完全に収納されると，傾斜していた蓋部16は，その弾性によって元の位置に戻る。
【００３９】
蓋部16が元の位置に戻るので，ＰＴＰ50を入れるときに正面パネル10にあいていた口は閉じられ，ＰＴＰ50は包装体内に閉じこめられる（トラップされる）ことになる。包装体１をどの方向に傾けても，窓部11を通してＰＴＰ50をスライド移動しても，それだけでは包装体１からＰＴＰ50を取り出すことはできない。
【００４０】
図９は収納されたＰＴＰ50を包装体１から取出す様子を示している。
【００４１】
ＰＴＰ50を包装体１から取り出すときには，まず蓋部16を背面がわに向けて押し下げる。蓋部16を押し下げた状態で，窓部11を通してＰＴＰ50を上方にスライド移動すると，ＰＴＰ50が蓋部16上に乗り上がる。スライド移動を続けることで，ＰＴＰ50を包装体１から取り出すことができる。たとえば，スライド移動の途中でＰＴＰ50の先端が蓋部16の先端に当接してしまい，ＰＴＰ50が蓋部16上に乗り上がらないときには，背面パネル20にあけられている指通し孔21を通してＰＴＰ50を押し上げる。蓋部16上にＰＴＰ50を乗り上げさせることができる。
【００４２】
このように包装体１を用いると，包装体１を単に傾ける，またはＰＴＰ50を単にスライド移動するだけでは，包装体１からＰＴＰ50を取出すことができず，錠剤52を取出すことができない。ＰＴＰ50を取り出すためには，上述のように，蓋部16を背面がわに向けて押し下げることが必要である。すなわち，蓋部16を押し下げるという，単純ではあるが必要不可欠な操作がＰＴＰ50を取出すために必要とされる。このため幼い子供が誤って錠剤52を飲むことを防止することができる。他方，ＰＴＰ50を取出すときの操作はさほど複雑ではないから，高齢者であってもＰＴＰ50を包装体１から取り出すことができる。
【００４３】
図１０は変形例の包装体の正面図である。包装体１Ａでは，正面パネル10に入れられている凹状切込み15の上方にのびる部分の先端につながる一対の差込み用切込み15ｂが，互いに離れる向きにのび，さらに滑らかに向きを変えて互いに近づく向きに短くのびている。このように差込み用切込み15ｂは様々な形状とすることができる。
【００４４】
図１１は他の変形例の包装体の正面図である。包装体１Ｂは，正面パネル10に正面から見て凹状の切抜き15Ａ（幅を有する切込みと言うこともできる）が形成されている点，接着パネル12，13，14が正面パネル10と背面パネル20の間に挟まれており，背面パネル20の内側に接着されている点が，上述した第１実施例の包装体１（図２参照）と異なる。包装体１Ｂにおいても，正面パネル10の蓋部16を押し下げることで，内容物たとえばＰＴＰ50が包装体１Ｂに出し入れされる。接着パネル12，13，14を正面パネル10と背面パネル20の間に位置させても，接着パネル12，13，14の弾性力（元の平面状の状態に戻る力）によって正面パネル10と背面パネル20との間に内部空間Ｋを確保することができる。
【００４５】
図１２は変形例の包装体の展開図（ブランク図）を示している。
【００４６】
この変形例の包装体２は，正面パネル10に設けられている蓋部16（凹状切込み15）の先端がやや先細に形成されている点，および背面パネル20に指通し孔ではなく切込み23が形成されている点が，上述した包装体１と異なる。蓋部16の先端を先細に形成しておくことで，ＰＴＰ50を包装体２から取り出すときに，ＰＴＰ50を蓋部16に乗り上げやすくすることができる。背面パネル10の切込み23は，第１実施例の指通し孔21と同様に，ＰＴＰ50を背面がわから押し上げるために用いられる。
【００４７】
図１３は他の変形例の包装体の展開図（ブランク図）を示している。
【００４８】
この変形例の包装体２Ａでは，正面パネル10に入れられている凹状切込み15の上方にのびる部分の先端につながる一対の差込み用切込み15ｃが，内向きの弧状で形成されている。さらに凹状切込み15の幅方向に比較的長くのびる部分の両端に，下方に短くのびて内向きの弧状をもって終端する切込み部分15ｄがつながっており，全体としてはおおよそＨ形の切込みに見える。切込み15の幅方向にのびる部分の下方にも包装体２Ａの内部空間に向けて押下げ可能な蓋部が設けられる。
【実施例２】
【００４９】
図１４は第２実施例の包装体の展開図（ブランク図）である。図１５は組立後の包装体の斜視図である。
【００５０】
第２実施例の包装体３は，嵩高の内容物であっても収納できるようにするために，正面パネル10と背面パネル20の間に壁面部が設けられたものである。図１４を参照して，正面パネル10の上端，下端，左端および右端に，上下左右の壁面部31，32，33，34がそれぞれ折り線を介して連設されている。折り線の位置で壁面部31，32，33，34を同じ向きにほぼ直角に折ることで，正面パネル10の周縁と背面パネル20の周縁との間に４つの壁面が設けられる。
【００５１】
左壁面部33には接着パネル14がさらに連設されており，右壁面部34には背面パネル20がさらに連設されている。接着パネル14および背面パネル20はほぼ直角に折られ，背面パネル20の外側に接着パネル14が接着される。また上壁面部31の上端にはさらに差込みフラップ42が連設され，下壁面部32の下端にもさらに差込みフラップ43が連設されている。さらに左壁面部33の両端に矩形のフラップ33ａがそれぞれ連設され，右壁面部34の両端にも矩形のフラップ34ａがそれぞれ連設されている。フラップ33ａ，34ａをほぼ直角に折り曲げ，次に差込みフラップ42，43を直角に折り曲げて背面パネル20の内側に差し込むことで，包装体３の上面および下面がそれぞれ閉じられる。箱形の包装体３が完成する。
【００５２】
正面パネル10と背面パネル20との間に壁面部31，32，33，34があるので，包装体３は嵩高の内容物であっても収納することができる。
【００５３】
正面パネル10に蓋部16（凹状切込み15）が設けられており，押し下げられる蓋部16を通じて内容物が出し入れされるのは，第１実施例の包装体１と同じである。
【００５４】
蓋部16の先端部分に横向きに折り線16ａが形成されている。これは，蓋部16を押し下げたときに，折り線16ａの位置で蓋部16の先端部分を折って，蓋部16の先端部分を背面パネル20の内面に沿わせるために形成されている。背面パネル20の内面との間に隙間なく蓋部16を沿わせることで，蓋部16上に内容物を乗り上げやすくすることができる。
【００５５】
上壁面部31と差込みフラップ42の間に，これらの幅方向の中央部分において短い切込み42ａが入れられている。下壁面部32と差込みフラップ43の間にも，これらの幅方向の中央部分において短い切込み43ａが入れられている。これらには，次に説明する突起片が差し込まれる。
【００５６】
背面パネル20の上端および下端に，それぞれ概略三角形の突起片24が設けられている。三角突起片24の左右には縦向きに一対の折り線24ａが形成されており，三角突起片24の左右端は折りやすくなっている。三角突起片24と背面パネル20の上端，下端の間にも折り線24ｂが形成されている。さらに，一対の折り線24ａのそれぞれに連続するように，背面パネル20上に一対の直線状の切込み24ｃが形成されており，それらの先端を結んで背面パネル20上に横向きに折り線24ｄが形成されている。
【００５７】
図１５を参照して，三角突起片24の左右の折り線24ａに沿って三角突起片24の両側の翼部24Ａをほぼ１８０度折り，包装体３の上端においては上壁面部31と差込みフラップ42の間の切込み42ａに，下端においては下壁面部32と差込みフラップ43の間の切込み43ａに，それぞれ三角突起片24を差し込む。翼部24Ａは背面パネル20の内側に差し込まれる。三角突起片24を完全に差込むと，三角突起片24の両側の翼部24Ａが背面パネル20の内側においてやや広がり，背面パネル20（差込みフラップ42，43）に係合する。これにより，三角突起片24を切込み42ａ，43ａを一旦差し込むと，それを抜き出すことが難しくなる。
【００５８】
背面パネル20につながる三角突起片24が包装体３の上端および下端の切込み42ａ，43ａに差し込まれるので，箱形の包装体３の上壁面部31，下壁面部32をあける（差込みフラップ42，43を抜き出す）のは困難となる。すなわち，箱形の包装体３において内容物をその上壁面部31および下壁面部32から取り出すことはできない。上述したように正面パネル10に形成された蓋部16を通して，内容物は出し入れされる。
【００５９】
図１６から図１８は，壁部（襠（マチ）部）を持つ包装体の変形例をそれぞれ示している。図１６に示す包装体４にはその上面部に楕円形の襠部35が設けられている。図１７に示す包装体５にはその両側面部に，上下端が先細の概略長方形の襠部36がそれぞれ設けられている。図１８に示す包装体６にはその両側面部にほぼ三角形の襠部37がそれぞれ設けられている。襠部を設けることで嵩高の内容物であっても収納することができる。
【符号の説明】
【００６０】
１，１Ａ，１Ｂ，２，２Ａ，３，４，５，６  包装体
10  正面パネル
11  窓部
12，13，14  接着パネル
15  切込み
15Ａ  切抜き
16  蓋部
16ａ  折り線
20  背面パネル
21  指通し孔
31，32，33，34  壁面部
35，36，37  襠部
Ｋ  内部空間
【図１】
0006398397.tif 000002
【図２】
0006398397.tif 000003
【図３】
0006398397.tif 000004
【図４】
0006398397.tif 000005
【図５】
0006398397.tif 000006
【図６】
0006398397.tif 000007
【図７】
0006398397.tif 000008
【図８】
0006398397.tif 000009
【図９】
0006398397.tif 000010
【図１０】
0006398397.tif 000011
【図１１】
0006398397.tif 000012
【図１２】
0006398397.tif 000013
【図１３】
0006398397.tif 000014
【図１４】
0006398397.tif 000015
【図１５】
0006398397.tif 000016
【図１６】
0006398397.tif 000017
【図１７】
0006398397.tif 000018
【図１８】
0006398397.tif 000019